(57)【要約】      （修正有）【課題】特定色について高い色再現性を維持する。【解決手段】印刷画像６１を副走査方向にｎ（ｎ≧２）分割したｎ個の仮想分割画像６５のそれぞれを、１回以上の主走査により印刷する印刷方法であって、ｎ個の仮想分割画像６５のそれぞれに対し、特定色が配置されているか否かを判定する判定ステップと、少なくとも、コーポレートカラーが配置されていると判定されたｍ（１≦ｍ＜ｎ）個の仮想分割画像６５について、当該ｍ個の仮想分割画像に対応する印刷領域を、色別のインクを一定順序で塗着させる一定順序印刷方式で印刷する印刷ステップと、を実行する。【選択図】図４
2013159087.tif 000002
【特許請求の範囲】
【請求項１】
印刷画像を副走査方向にｎ（ｎ≧２）分割したｎ個の仮想分割画像のそれぞれを、各１回以上の主走査により印刷する印刷方法であって、
前記ｎ個の仮想分割画像のそれぞれに対し、特定色が配置されているか否かを判定する判定ステップと、
少なくとも、前記特定色が配置されていると判定されたｍ（１≦ｍ＜ｎ）個の前記仮想分割画像について、当該ｍ個の仮想分割画像に対応する印刷領域を、色別のインクを一定順序で塗着させる一定順序印刷方式で印刷する印刷ステップと、を実行することを特徴とする印刷方法。
【請求項２】
前記一定順序印刷方式は、単方向印刷方式であることを特徴とする請求項１に記載の印刷方法。
【請求項３】
前記印刷ステップでは、前記特定色が配置されていないと判定された（ｎ−ｍ）個の前記仮想分割画像について、当該（ｎ−ｍ）個の仮想分割画像に対応する印刷領域を、双方向印刷方式で印刷することを特徴とする請求項２に記載の印刷方法。
【請求項４】
前記印刷画像から前記特定色の画像を抽出した抽出データを付加して前記印刷画像を入力する画像入力ステップを、更に実行し、
前記判定ステップでは、前記印刷画像に付加された前記抽出データに基づいて、前記ｎ個の仮想分割画像のそれぞれに対し、前記特定色が配置されているか否かを判定することを特徴とする請求項１ないし３のいずれかに記載の印刷方法。
【請求項５】
前記印刷ステップでは、インクジェット方式で印刷が行われ、
前記インクは、活性エネルギー線硬化インクを用いることを特徴とする請求項１ないし４のいずれかに記載の印刷方法。
【請求項６】
前記特定色は、コーポレートカラーであることを特徴とする請求項１ないし５のいずれかに記載の印刷方法。
【請求項７】
印刷画像を副走査方向にｎ（ｎ≧２）分割したｎ個の仮想分割画像のそれぞれを、各１回以上の主走査により印刷する印刷システムであって、
前記印刷画像を印刷する印刷部と、
前記ｎ個の仮想分割画像のそれぞれに対し、特定色が配置されているか否かを判定する判定部と、
前記印刷部を制御し、少なくとも、前記特定色が配置されていると判定されたｍ（１≦ｍ＜ｎ）個の前記仮想分割画像について、当該ｍ個の仮想分割画像に対応する印刷領域を、色別のインクを一定順序で塗着させる一定順序印刷方式で印刷させる印刷制御部と、を備えたことを特徴とする印刷システム。
【請求項８】
印刷画像を副走査方向にｎ（ｎ≧２）分割したｎ個の仮想分割画像のそれぞれを、各１回以上の主走査により印刷する印刷装置であって、
前記印刷画像を印刷する印刷部と、
前記ｎ個の仮想分割画像のそれぞれに対し、特定色が配置されているか否かを判定する判定部と、
前記印刷部を制御し、少なくとも、前記特定色が配置されていると判定されたｍ（１≦ｍ＜ｎ）個の前記仮想分割画像について、当該ｍ個の仮想分割画像に対応する印刷領域を、色別のインクを一定順序で塗着させる一定順序印刷方式で印刷させる印刷制御部と、を備えたことを特徴とする印刷装置。
【請求項９】
コンピューターに、請求項１ないし６のいずれかに記載の印刷方法における各ステップを実行させるためのプログラム。
【発明の詳細な説明】
【技術分野】
【０００１】
本発明は、印刷画像を複数回の主走査により印刷する印刷方法、印刷システム、印刷装置およびプログラムに関するものである。
【背景技術】
【０００２】
従来、この種の印刷装置として、色別の４つの記録ヘッドと、４つの記録ヘッドを支持し、これらを主走査方向に移動させるキャリッジ（主走査移動機構）と、記録紙を副走査方向に移動させる紙送りローラー（副走査移動機構）と、これらを制御するコントローラーと、を備えたインクジェット記録装置が知られている（特許文献１参照）。コントローラーは、バンド単位でレンダリング処理（変換処理）を行うレンダリング処理部と、バンド毎のレンダリング処理の推定時間を算出するレンダリング時間推定部と、レンダリング処理が間に合わないために正常なプリントができなくなる現象（プリントオーバーラン）を回避するオーバーラン回避制御部と、を有している。
そして、インクジェット記録装置は、双方向記録（双方向印刷）と片方向記録（単方向印刷）とが可能であり、オーバーラン回避制御部は、算出したバンド毎の推定時間が、所定の時間を超えるか否かを判定し、推定時間が所定の時間を超えていると判定された場合には、当該バンドに対し片方向記録を実行する。すなわち、レンダリング処理負荷の重い複雑な画像データの場合には、片方向記録に切り替える。これにより、処理負荷を低減してプリントオーバーランを回避している。
また、色別のノズル列が主走査方向に並列する構成である場合、双方向記録では、往復でインクの着弾順序が変化して、記録画質が大きく劣化してしまう。これに対し、上記のように、レンダリング処理負荷の重い複雑な画像データの場合には、インクの着弾順序が一定の片方向印刷に切り替えることで、記録速度を必要以上に低下させず、且つ記録画質の劣化を抑制している。
【先行技術文献】
【特許文献】
【０００３】
【特許文献１】特開２００６−１５９７０１号公報
【発明の概要】
【発明が解決しようとする課題】
【０００４】
ところで、記録画質の観点から、コーポレートカラー等の特定の色について、他の色より高い色再現性が求められる場合がある。すなわち、他の色に比べて重視すべき特定色が存在する場合がある。
しかしながら、上記構成では、レンダリング処理時間に基づいて、双方向印刷と単方向印刷との切替えを行うため、特定色が配置された印刷領域でも双方向印刷を行ってしまう。その結果、インクが一定順序で着弾されず、上記特定色について、高い色再現性を維持することができないという問題があった。
【０００５】
本発明は、特定色について高い色再現性を維持することができる印刷方法、印刷システム、印刷装置およびプログラムを提供することを課題としている。
【課題を解決するための手段】
【０００６】
本発明の印刷方法は、印刷画像を副走査方向にｎ（ｎ≧２）分割したｎ個の仮想分割画像のそれぞれを、各１回以上の主走査により印刷する印刷方法であって、ｎ個の仮想分割画像のそれぞれに対し、特定色が配置されているか否かを判定する判定ステップと、少なくとも、特定色が配置されていると判定されたｍ（１≦ｍ＜ｎ）個の仮想分割画像について、当該ｍ個の仮想分割画像に対応する印刷領域を、色別のインクを一定順序で塗着させる一定順序印刷方式で印刷する印刷ステップと、を実行することを特徴とする。
【０００７】
本発明の印刷システムは、印刷画像を副走査方向にｎ（ｎ≧２）分割したｎ個の仮想分割画像のそれぞれを、各１回以上の主走査により印刷する印刷システムであって、印刷画像を印刷する印刷部と、ｎ個の仮想分割画像のそれぞれに対し、特定色が配置されているか否かを判定する判定部と、印刷部を制御し、少なくとも、特定色が配置されていると判定されたｍ（１≦ｍ＜ｎ）個の仮想分割画像について、当該ｍ個の仮想分割画像に対応する印刷領域を、色別のインクを一定順序で塗着させる一定順序印刷方式で印刷させる印刷制御部と、を備えたことを特徴とする。
【０００８】
本発明の印刷装置は、印刷画像を副走査方向にｎ（ｎ≧２）分割したｎ個の仮想分割画像のそれぞれを、各１回以上の主走査により印刷する印刷装置であって、印刷画像を印刷する印刷部と、ｎ個の仮想分割画像のそれぞれに対し、特定色が配置されているか否かを判定する判定部と、印刷部を制御し、少なくとも、特定色が配置されていると判定されたｍ（１≦ｍ＜ｎ）個の仮想分割画像について、当該ｍ個の仮想分割画像に対応する印刷領域を、色別のインクを一定順序で塗着させる一定順序印刷方式で印刷させる印刷制御部と、を備えたことを特徴とする。
【０００９】
これらの構成によれば、特定色が配置されている仮想分割画像の印刷領域を、色別のインクを一定順序で塗着させる印刷方式（一定順序印刷方式）で印刷するため、特定色を印刷する際には、常にインクを塗着する順序が一定になる。そのため、特定色について高い色再現性を維持することができる（色再現性の安定性向上）。
【００１０】
上記の印刷方法において、一定順序印刷方式は、単方向印刷方式であることが好ましい。
【００１１】
この構成によれば、色別のインクを一定順序で塗着させる印刷方式に、既存の単方向印刷方式を用いるため、上記印刷ステップを簡単な制御で実施することができる。
【００１２】
この場合、印刷ステップでは、特定色が配置されていないと判定された（ｎ−ｍ）個の仮想分割画像について、当該（ｎ−ｍ）個の仮想分割画像に対応する印刷領域を、双方向印刷方式で印刷することが好ましい。
【００１３】
この構成によれば、特定色が配置されている仮想分割画像の印刷領域については、色再現性の高い単方向印刷方式で印刷し、一方、特定色が配置されていない仮想分割画像の印刷領域については、印刷速度が高い双方向印刷方式で印刷することで、印刷速度を高速に維持しつつ、特定色について高い色再現性を維持することができる。
【００１４】
この場合、印刷画像から特定色の画像を抽出した抽出データを付加して印刷画像を入力する画像入力ステップを、更に実行し、判定ステップでは、印刷画像に付加された抽出データに基づいて、ｎ個の仮想分割画像のそれぞれに対し、特定色が配置されているか否かを判定することが好ましい。
【００１５】
この構成によれば、印刷画像に、予め印刷画像から特定色の画像を抽出した抽出データを付加した状態で、当該印刷画像を入力することで、印刷画像の入力と、特定色の指定とを一体に行うことができ、制御性を向上することができる。
【００１６】
この場合、印刷ステップでは、インクジェット方式で印刷が行われ、インクは、活性エネルギー線硬化インクを用いることが好ましい。
【００１７】
この構成によれば、色差においてインクの塗着（着弾）させる順序が影響しやすいインクジェット方式の印刷や、活性エネルギー線硬化インクを用いた印刷において、特定色について高い色再現性を維持することができる。
【００１８】
この場合、特定色は、コーポレートカラーであることが好ましい。
【００１９】
この構成によれば、コーポレートカラーについて、高い色再現性を維持することができ、カラー印刷の信頼性を向上することができる。なお、コーポレートカラーとは、企業や団体等の組織を象徴する組織特有の色である。
【００２０】
本発明のプログラムは、コンピューターに、上記の印刷方法における各ステップを実行させることを特徴とする。
【００２１】
この構成によれば、コンピューターに上記プログラムを搭載するだけで、コンピューターに、上記の印刷方法を実行させることができる。
【図面の簡単な説明】
【００２２】
【図１】本発明の一実施形態に係る印刷装置の平面図である。
【図２】インクジェットヘッドの裏面図である。
【図３】印刷動作に係る印刷装置の制御構成を示した制御ブロック図である。
【図４】印刷データのデータ構成を示した図である。
【図５】印刷装置による印刷動作を示したフローチャートである。
【図６】印刷処理を示した説明図である。
【図７】第２実施形態の印刷システムにおける制御構成を示した制御ブロック図である。
【発明を実施するための形態】
【００２３】
以下、添付の図面を参照し、本発明の一実施形態に係る印刷方法、印刷システム、印刷装置およびプログラムについて説明する。本実施形態では、本発明の印刷方法を適用した印刷装置を例示する。この印刷装置は、紫外線硬化インク（活性エネルギー線硬化インク）をインクジェット方式で吐出することにより、印刷媒体に所望の画像を印刷（加飾印刷）するものである。また、本印刷装置では、ＰＣ（ＰｏｌｙＣａｒｂｏｎａｔｅ）、ＰＥＴ（ＰｏｌｙＥｔｈｙｌｅｎｅ  Ｔｅｒｅｐｈｔｈａｌａｔｅ）フィルム等の非吸収性の印刷媒体を印刷対象としている。なお、この印刷装置では、所定の印刷制御により、コーポレートカラー（特定色）の色再現性が高い印刷物を作成可能としている。
【００２４】
図１に示すように、印刷装置１は、印刷媒体Ａを移動させながら、印刷媒体Ａに印刷処理を行う印刷部１１と、給材部１２ａおよび除材部１２ｂを有し、印刷部１１に対し印刷媒体Ａを除給材する除給材部１２と、印刷装置１を統括制御する制御部１３（図３参照）と、を備えている。給材部１２ａから印刷部１１に給材された枚葉の印刷媒体Ａは、印刷部１１により印刷処理が施され、その後、印刷済みとなった印刷媒体Ａは、除材部１２ｂに除材される。
【００２５】
印刷部１１は、給材された印刷媒体Ａを吸着セットするワークステージ２１と、ワークステージ２１を介して、印刷媒体ＡをＸ軸方向に移動（改行送り：副走査）するＸ軸テーブル２２と、紫外線硬化インクを吐出するインクジェットヘッド３２を搭載したキャリッジユニット２３と、キャリッジユニット２３を介して、インクジェットヘッド３２をＹ軸方向に往復動（主走査）するＹ軸テーブル２４と、インクジェットヘッド３２の機能の保守および回復を図るための保守装置２５と、を備えている。Ｙ軸テーブル２４は、Ｘ軸テーブル２２を跨ぐようにＹ軸方向に架け渡されており、Ｙ軸テーブル２４に支持されたキャリッジユニット２３は、ワークステージ２１にセットされた印刷媒体Ａに上側から臨むようになっている。
【００２６】
印刷部１１は、印刷媒体Ａをワークステージ２１に吸着セットした後、印刷データ６０（図４参照）に基づいて、Ｘ軸テーブル２２によりワークステージ２１を介して印刷媒体ＡをＸ軸方向に改行送り（副走査）すると共に、印刷媒体Ａに対し、Ｙ軸テーブル２４によりキャリッジユニット２３を往復動（主走査）させながらインクジェットヘッド３２からインクを吐出することで、印刷画像６１を印刷する。
【００２７】
キャリッジユニット２３は、Ｙ軸テーブル２４に垂設・支持されたキャリッジ３１と、キャリッジ３１に搭載したインクジェットヘッド３２と、キャリッジ３１のＹ軸方向両端部に搭載した一対の紫外線照射装置３３と、を有している。本実施形態で使用するインクは、紫外線硬化インクであり、主走査に同期して、キャリッジ３１に搭載した各一対の紫外線照射装置３３を点灯させる（常時点灯でも可）ことで、先行して印刷媒体Ａに吐出・着弾した紫外線硬化インクを硬化・定着させる。
【００２８】
図２に示すように、インクジェットヘッド３２は、圧電素子（ピエゾ素子）により吐出駆動されるものであり、Ｘ軸方向に延在する色別複数のノズル列４１を有している。色別複数のノズル列４１は、Ｙ軸方向に並列して配置されており、図２の例では、左からシアン（Ｃ）、マゼンタ（Ｍ）、イエロー（Ｙ）、ブラック（Ｋ）、オレンジ（Ｏｒ）、グリーン（Ｇｒ）、ライトマゼンタ（ＬＭ）、ライトシアン（ＬＣ）、ホワイト（Ｗ）、クリアー（ＣＬ）のノズル列４１が配置されている。
【００２９】
ここで図３を参照して、印刷動作に係る印刷装置１の制御構成について説明する。図３に示すように、印刷装置１は、主な構成要素として、インクジェットヘッド３２と、Ｘ軸テーブル２２と、Ｙ軸テーブル２４と、入力インターフェース５１と、制御部１３と、を備えている。
【００３０】
入力インターフェース５１は、画像入力部８１として機能する。画像入力部８１は、印刷データ６０を入力する。入力される印刷データ６０は、印刷画像６１を有する画像レイヤー６２と、印刷制御に用いる指定データ（抽出データ）６３を有する特殊レイヤー６４（いわゆるアルファチャンネル）とから構成されている（図４参照）。すなわち、画像入力部８１は、指定データ６３を付加した状態の印刷画像６１を入力する。印刷画像６１および指定データ６３は、複数の画素をマトリクス状に配列して画像を成すビットマップデータである。また、印刷画像６１は、ハーフトーンで色の濃淡を表す印刷方式（ハーフトーン方式）で印刷される画像であり、本例ではコーポレートカラーで色付けされた企業ロゴＬが配置されている。一方、指定データ６３は、印刷画像６１からコーポレートカラーの画像（本例では企業ロゴＬ）を抽出したデータであると共に、印刷画像６１上のコーポレートカラーの配置位置を示すデータである。また、指定データ６３は、ユーザーがコーポレートカラーを指定するためのデータでもある。
【００３１】
制御部１３は、ＣＰＵ（Ｃｅｎｔｒａｌ  Ｐｒｏｃｅｓｓｉｎｇ  Ｕｎｉｔ）７１、ＲＯＭ（Ｒｅａｄ  Ｏｎｌｙ  Ｍｅｍｏｒｙ）７２およびＲＡＭ（Ｒａｍｄｏｍ  Ａｃｃｅｓｓ  Ｍｅｍｏｒｙ）７３を有している。ＣＰＵ７１は、中央処理装置であり、各種演算処理を行う。ＲＯＭ７２は、ＣＰＵ７１が各種演算処理を行うための制御プログラムを記憶し、ＲＡＭ７３は、ＣＰＵ７１が各種演算処理を行う際のワークエリアとして用いられる。また、ＣＰＵ７１は、ＲＯＭ７２に記憶された制御プログラムを実行することにより、領域判定部（判定部）８２および印刷制御部８３として機能する。
【００３２】
領域判定部８２は、特殊レイヤー６４の指定データ６３に基づいて、コーポレートカラーが配置されている印刷画像６１上の領域を判定する。具体的には、領域判定部８２は、指定データ６３に基づいて、印刷画像６１を副走査方向（Ｘ軸方向）にｎ（ｎ≧２）分割したｎ個の仮想分割画像６５（図４参照）のそれぞれを対象とし、当該各仮想分割画像にコーポレートカラーが配置されているか否かを判定する。当該各仮想分割画像６５は、印刷時の各回の主走査に対応したものであり、その個数ｎは、印刷処理における主走査の回数と同一である。
【００３３】
印刷制御部８３は、入力された印刷画像６１に基づいて、インクジェットヘッド３２、Ｘ軸テーブル２２およびＹ軸テーブル２４を制御し、印刷処理を実施する。また、印刷制御部８３は、往動（または復動）の主走査のみで印刷を実施する単方向印刷方式と、往復動の主走査で印刷を実施する双方向印刷方式との印刷が可能である。そして、印刷制御部８３は、領域判定部８２の判定結果に基づいて、単方向印刷方式で印刷する単方向印刷モード（Ｕｎｉ−Ｄ）と、単方向印刷方式で印刷する双方向印刷モード（Ｂｉ−Ｄ）とを切り替えつつ、印刷処理を実施する。なお、本実施形態では、単方向印刷方式が、色別のインクを一定順序で塗着させる一定順序印刷方式であり、双方向印刷方式が、色別のインクを不定順序で塗着させる不定順序印刷方式である。
【００３４】
ここで図５および図６を参照して、印刷装置１による印刷動作について説明する。本印刷動作は、印刷データ６０およびその印刷コマンドが入力されるのに起因して実行される。
【００３５】
図５に示すように、印刷装置１は、入力インターフェース５１（画像入力部８１）を介して印刷データ６０およびその印刷コマンドが入力されると（Ｓ１：Ｙｅｓ、画像入力ステップ）、領域判定部８２により、印刷データ６０の特殊レイヤー６４から指定データ６３を抽出する（Ｓ２）。そして、抽出した指定データ６３に基づいて、ｎ個の仮想分割画像６５のそれぞれに、コーポレートカラーが配置されているか否かを判定する（Ｓ３：判定ステップ）。これにより、コーポレートカラーが配置されていると判定されたｍ（１≦ｍ≦ｎ）個の仮想分割画像６５と、コーポレートカラーが配置されていないと判定された（ｎ−ｍ）個の仮想分割画像６５と、が特定される。その後、印刷制御部８３により、印刷画像６１と、領域判定部８２の判定結果とに基づいて、印刷処理を実施する（Ｓ４：印刷ステップ）。
【００３６】
印刷処理では、Ｙ軸テーブル２４によりインクジェットヘッド３２をＹ軸方向に移動させるｎ回の主走査と、Ｘ軸テーブル２２により印刷媒体ＡをＸ軸方向にノズル列４１ピッチで移動させる（ｎ−１）回の副走査とを行うと共に、各回の主走査に同期してインクジェットヘッド３２を吐出駆動することで、印刷を実施する。そして、上記ｎ回の主走査において、領域判定部８２の判定結果に基づく印刷モードで、ｎ個の仮想分割画像６５を印刷する。具体的には、図６に示すように、特定された上記ｍ個の仮想分割画像６５に対応する印刷領域Ａ１を、単方向印刷モード（単方向印刷方式）で印刷する。一方、特定された上記（ｎ−ｍ）個の仮想分割画像６５に対応する印刷領域Ａ２を、双方向印刷モード（双方向印刷方式）で印刷する。すなわち、上記ｍ個の仮想分割画像６５の印刷領域Ａ１では、往動の主走査を繰り返し行って印刷し、上記（ｎ−ｍ）個の仮想分割画像６５の印刷領域Ａ２では、往復動の主走査を交互に行って印刷する。単方向印刷モードでは、主走査実施前に、キャリッジユニット２３が往動の終端側に位置する場合、一度、空のデータによる走査コマンドと非改行コマンドとにより往動の始端側に移動した後、往動の主走査を行う。
【００３７】
以上のような構成によれば、コーポレートカラーが配置されている仮想分割画像６５の印刷領域Ａ１を、色別のインクを一定順序で塗着させる印刷方式（一定順序印刷方式）で印刷するため、コーポレートカラーを印刷する際には、常にインクを塗着する順序が一定になる。そのため、コーポレートカラーについて高い色再現性を維持することができる。
【００３８】
また、色別のインクを一定順序で塗着させる印刷方式に、既存の単方向印刷方式を用いることで、上記印刷ステップを簡単な制御で実施することができる。
【００３９】
さらに、コーポレートカラーが配置されている仮想分割画像６５の印刷領域Ａ１については、色再現性の高い単方向印刷方式で印刷し、一方、コーポレートカラーが配置されていない仮想分割画像６５の印刷領域Ａ２については、印刷速度が高い双方向印刷方式で印刷することで、印刷速度を高速に維持しつつ、コーポレートカラーについて高い色再現性を維持することができる。
【００４０】
またさらに、印刷画像６１に、予め印刷画像６１からコーポレートカラーの画像を抽出した抽出データを付加した状態で、当該印刷画像６１を入力することで、印刷画像６１の入力と、コーポレートカラーの指定とを一体に行うことができ、制御性を向上することができる。
【００４１】
なお、本実施形態においては、コーポレートカラーを指定し、コーポレートカラーが配置されている仮想分割画像６５の印刷領域Ａ１を、単方向印刷方式（一定順序印刷方式）で印刷する構成であったが、指定する特定色は、高い色再現性を維持したい色であれば、コーポレートカラーに限るものではない。また、特定色を複数指定する構成であっても良い。
【００４２】
また、本実施形態においては、ｎ個の仮想分割画像６５のそれぞれを、各１回の主走査により印刷する構成であったが、ｎ個の仮想分割画像６５のそれぞれを、各２回以上の主走査により印刷する構成であっても良い。
【００４３】
さらに、本実施形態においては、ｍ個の仮想分割画像の印刷領域Ａ１を、単方向印刷方式で印刷し、それ以外の印刷領域Ａ２を、双方向印刷方式で印刷する構成であったが、少なくともｍ個の仮想分割画像の印刷領域Ａ１を、単方向印刷方式で印刷する構成であれば、これに限るものではない。例えば、それ以外の印刷領域Ａ２のうちの一部を単方向印刷方式で印刷する構成であっても良い。
【００４４】
なお、本実施形態においては、印刷装置１が画像入力部８１、領域判定部８２および印刷制御部８３を備え、印刷装置１内部で印刷制御を行う構成であったが、これに限るものではない。具体的には、図７に示すように、印刷装置１とホストコンピューター１０２と接続した印刷システム１０１において、ホストコンピューター１０２が画像入力部８１、領域判定部８２および印刷制御部８３を備え、ホストコンピューター１０２上で印刷制御を行う構成であっても良い。かかる場合、ホストコンピューター１０２に搭載された入出力インターフェース１０３が、画像入力部８１として機能すると共に、各種制御コマンドを印刷装置１に出力する。
【符号の説明】
【００４５】
１：印刷装置、  １１：印刷部、  ６１：印刷画像、  ６３：指定データ、  ６５：仮想分割画像、  ８１：印刷制御部、  ８２：領域判定部、  １０１：印刷システム
【図１】
2013159087.tif 000003
【図２】
2013159087.tif 000004
【図３】
2013159087.tif 000005
【図４】
2013159087.tif 000006
【図５】
2013159087.tif 000007
【図６】
2013159087.tif 000008
【図７】
2013159087.tif 000009